(57)【要約】【課題】竹又は木材の表面に加熱ムラや、着色ムラがなく、雨だれ状態とならない安価な煤竹又は煤木材を作製するための煤竹又は煤木材の製造装置を提供する。【解決手段】木質燃料１１を蒸し焼きした煙で竹１２又は木材１２ａの表面を光沢のある黒褐色にする煤竹又は煤木材の製造装置において、木質燃料１１を蒸し焼きするための燃焼室１３と、そこに空気を供給するためのブロワー１４を設ける木質燃料蒸し焼き手段と、発生する煙を上部から導入して室内に拡散させると共に、下部に排出口１６を備える密閉室１７と、そこに竹１２又は木材１２ａを載置させるための通気孔を備える収納ボックス１８を設ける燻し焼成手段と、排出口１６より竹１２又は木材１２ａから発生したタールを回収する回収タンク１９を設けるタール回収手段と、そこに持ち込まれた排気ガスを冷却して竹酢液又は木酢液を取り出す回収ボックス２１を設ける竹酢液又は木酢液回収手段を有する。【選択図】図１
0003106161.tif 000002
【実用新案登録請求の範囲】
【請求項１】
木質燃料を蒸し焼きして発生する煙で竹又は木材の表面を光沢のある黒褐色に処理する煤竹又は煤木材の製造装置において、
前記木質燃料を蒸し焼きするための燃焼室と、該燃焼室に空気を供給するためのブロワーを設ける木質燃料蒸し焼き手段と、
前記燃焼室から発生する前記煙を上部から導入して室内に拡散させると共に、下部に排出させる排出口を備える密閉室と、該密閉室内に前記竹又は木材を載置させるための通気孔を備える収納ボックスを設ける燻し焼成手段と、
前記密閉室の前記排出口より前記竹又は木材から発生したタールを回収する回収タンクを設けるタール回収手段と、
前記回収タンク内に持ち込まれた排気ガスを冷却して竹酢液又は木酢液を取り出す回収ボックスを設ける竹酢液又は木酢液回収手段を有することを特徴とする煤竹又は煤木材の製造装置。
【考案の詳細な説明】
【技術分野】
【０００１】
本考案は、竹又は木材の表面を黒褐色にする煤竹又は煤木材を人工的に作り出すための煤竹又は煤木材の製造装置に関する。
【背景技術】
【０００２】
従来、煤竹や、煤木材は、家屋等の中に持ち込まれた竹や、木材が、家屋の中で薪等の木質燃料や、石炭等を熱源として燃やした時に発生する熱と煤に晒されることによって竹や、木材の表面が煤けて赤黒く変化することで得られるものである。この煤竹又は煤木材を家屋等の中で得るためには、長期間を要しなければならないが、煤竹や、煤木材の表面の色や艶等による美しさや、材質の硬化と共に防腐性が高いことで、建築材や工芸品あるいは置物等として広い用途範囲を有し、高い人気を有している。
【０００３】
しかしながら、生活様式の変化によって、家屋の中で燃料を直接燃焼させることは無くなり煤竹や、煤木材を自然的な生活の中で作り出すことが殆ど不可能となったので、いくつかの人工的な煤竹又は煤木材の製造方法や、製造装置の開発が考え出されている。最も簡単なものとしては、竹や、木材の表面を煤竹や、煤木材の色に似た色で着色したものがあるが、この煤竹や、煤木材では、塗料の脱色や、剥離の発生、短期間での竹や、木材の腐食の発生、外的環境の変化の影響を受けやすいことによる竹や、木材の割れの発生等によって、自然的に作られたものには、到底及ぶものではなかった。また、竹や、木材の表面をバーナー等の火焔で炙り焼きしたものもあるが、単に表面を黒色に焦がしたものであるので、表面の艶出しがなく、自然的に作られたものと比較したら見栄えが悪く、自然的に作られたものとは格段に差のあるものであった。
【０００４】
そこで、竹を円筒回転体のドラムの中に入れて、遠赤外線ヒーターで加熱竹の表面に滲み出した組織の成分を表面に焼き付ける煤竹の製造方法及び製造装置が提案されている（例えば、特許文献１参照）。また、竹の表面を光沢のある黒色とする燻し焼きのための燻焼室より下段に設けた燃焼室で木材の燃焼によって発生させた煙を燻焼室の底部から導入し、燻焼室の竹を煤竹とする製造方法が提案されている（例えば、特許文献２参照）。
【特許文献１】特開平１０−１３８２０７号公報
【特許文献２】特開２００２−３０１７０５号公報
【考案の開示】
【考案が解決しようとする課題】
【０００５】
しかしながら、前述したような従来の煤竹又は煤木材の製造装置は、次のような問題がある。
（１）煤竹や、煤木材を円筒回転体のドラムの中に入れて、遠赤外線ヒーターで加熱して焼いて形成する場合には、装置が大掛かりとなり、煤竹や、煤木材のコストアップとなっている。また、円筒回転体のドラムの中に竹や、木材を入れて焼くのは、ドラムの回転によって竹や、木材の移動が発生し、焼成中に竹や、木材の表面に滲み出した成分と共に、竹や、木材どうしがこすれ合うので、竹や、木材自体の表面を傷付けると同時に艶面の美しさを損なうこととなり、煤竹や、煤木材の品質低下となっている。
（２）煤竹や、煤木材を燻焼室より下段に設けた燃焼室で木質燃料の燃焼によって発生させた煙を燻焼室の底部から導入して形成する場合には、竹や、木材が下方から上方に向かって徐々に燻し焼きされ、上方に行くにつれて竹や、木材の表面から滲み出す成分が後から発生するので、この滲み出した成分が下方に流れ落ちて雨だれ状態となり、表面の外観を損なう品質低下となっている。
本考案はかかる事情に鑑みてなされたものであって、竹又は木材の表面に加熱ムラや、着色ムラがなく、雨だれ状態とならない安価な煤竹又は煤木材を作製するための煤竹又は煤木材の製造装置を提供することを目的とする。
【課題を解決するための手段】
【０００６】
前記目的に沿う本考案に係る煤竹又は煤木材の製造装置は、木質燃料を蒸し焼きして発生する煙で竹又は木材の表面を光沢のある黒褐色に処理する煤竹又は煤木材の製造装置において、木質燃料を蒸し焼きするための燃焼室と、燃焼室に空気を供給するためのブロワーを設ける木質燃料蒸し焼き手段と、燃焼室から発生する煙を上部から導入して室内に拡散させると共に、下部に排出させる排出口を備える密閉室と、密閉室内に竹又は木材を載置させるための通気孔を備える収納ボックスを設ける燻し焼成手段と、密閉室の排出口より竹又は木材から発生したタールを回収する回収タンクを設けるタール回収手段と、回収タンク内に持ち込まれた排気ガスを冷却して竹酢液又は木酢液を取り出す回収ボックスを設ける竹酢液又は木酢液回収手段を有する。
【考案の効果】
【０００７】
請求項１記載の煤竹又は煤木材の製造装置は、木質燃料を蒸し焼きするための燃焼室と、燃焼室に空気を供給するためのブロワーを設ける木質燃料蒸し焼き手段と、燃焼室から発生する煙を上部から導入して室内に拡散させると共に、下部に排出させる排出口を備える密閉室と、密閉室内に竹又は木材を載置させるための通気孔を備える収納ボックスを設ける燻し焼成手段と、密閉室の排出口より竹又は木材から発生したタールを回収する回収タンクを設けるタール回収手段と、回収タンク内に持ち込まれた排気ガスを冷却して竹酢液又は木酢液を取り出す回収ボックスを設ける竹酢液又は木酢液回収手段を有するので、装置が比較的簡単であり、煤竹又は煤木材を安価に作成することができる。また、竹又は木材は、ブロワーによって容易に温度コントロールができる煙の中の密閉室内で静止状態で移動がなく、竹又は木材どうしのこすれ合いがなくて竹又は木材の表面を傷付けることがない。また、密閉室内への煙の導入は、温度コントロールされて上部から導入して下部に向かって流されることで、竹又は木材自体の表面から滲み出した成分を竹又は木材の表面を上部から下部へ除々に流れ落としながら表面を燻すことができるので、竹又は木材の表面の雨だれ状態の発生を防止できると共に、加熱ムラがないので、竹又は木材の表面に着色ムラのない美しい色と艶を有する品質のよい煤竹又は煤木材を作成することができる。更に、環境に配慮したタール分の回収を容易に行うことができると共に、社会生活に貢献できる竹酢液又は木酢液の回収が容易にできる。
【考案を実施するための最良の形態】
【０００８】
続いて、添付した図面を参照しつつ、本考案を具体化した場合の最良の形態について説明し、本考案の理解に供する。
ここに、図１（Ａ）、（Ｂ）はそれぞれ本考案の一実施の形態に係る煤竹又は煤木材の製造装置の斜視図、正面図である。
【０００９】
図１（Ａ）、（Ｂ）に示すように、本考案の一実施の形態に係る煤竹又は煤木材の製造装置は、薪や、チップや、木屑等の木質燃料１１の蒸し焼きによって発生する煙で、竹１２又は木材１２ａの表面を燻すと共に、竹１２又は木材１２ａの組織から発生した成分に煙の煤を付着させ光沢のある黒褐色に処理するための装置であって、木質燃料１１蒸し焼き手段、竹１２又は木材１２ａの燻し焼成手段、タール回収手段、及び竹酢液又は木酢液回収手段を有している。
この煤竹又は煤木材の製造装置の木質燃料１１蒸し焼き手段には、長時間の蒸し焼きに対応できる量の木質燃料１１を収納するための、容積が、例えば、約３．５ｍ３程度の立方体や円柱体等からなり、外部との空気の流通を遮断できる燃焼室１３が設けられている。また、木質燃料１１蒸し焼き手段には、燃焼室１３と併せて、燃焼室１３の下部に連結して、燃焼室１３内に唯一適当な量の空気を供給できるブロワー１４が設けられている。燃焼室１３は、例えば、ＳＵＳ等の金属板や、耐火煉瓦等の耐火物等で形成されており、更に、燃焼室１３の外表面は、断熱材で覆うのが好ましい。燃焼室１３内には、ブロワー１４で空気が供給されるものの、供給量をコントロールすることで、内部を絶えず酸素不足状態にして木質燃料１１を蒸し焼きにして煤を含有する煙を発生させている。また、燃焼室１３内から排出される煙の温度は、ブロワー１４のファン回転数による空気の供給量のコントロールによって、容易に温度コントロールをすることができるようになっている。
【００１０】
次に、煤竹又は煤木材の製造装置の竹１２又は木材１２ａの燻し焼成手段には、燃焼室１３の天井に設ける煙突１５を介して燃焼室１３から発生した煤を含む煙を上部から導入して室内に拡散させると共に、下部に排出させることができる排出口１６を備える密閉室１７が設けられている。また、竹１２又は木材１２ａの燻し焼成手段には、密閉室１７内に１又は複数の竹１２又は木材１２ａを載置させるための、外周に通気孔を備えた収納ボックス１８が設けられている。密閉室１７は、容積が、例えば、約８ｍ３程度の立方体や円柱体等からなる外部との空気の流通を遮断できると共に、竹１２又は木材１２ａの出し入れができるようにした、例えば、ＳＵＳ、鉄等の金属板等で形成されており、更に、密閉室１７の外表面は、断熱材で覆われているのが好ましい。収納ボックス１８は、密閉室１７の内壁との間に隙間を設けて収められており、例えば、ＳＵＳ、鉄等の金属板等で立方体や円柱体等の形状に形成されており、煙の流通ができるように、外周囲に多数の通気孔を備えている。また、収納ボックス１８の天井は、開放されたものであってもよく、収納ボックス１８の底部は、密閉室１７の床との間に竹１２又は木材１２ａから発生するタール分は垂れ落ちるように、隙間を設けておくのが好ましい。
【００１１】
この燻し焼成手段においては、木質燃料１１蒸し焼き手段で木質燃料１１をブロワー１４の空気供給量の調整で燃焼室１３内で酸素不足状態の蒸し焼きにした時に発生した煤を含んだ煙による密閉室１７内での温度を、室温から約１００℃までを約２時間かけて昇温している。そして、燻し焼成手段では、約１００℃の温度での保持時間を約１０〜３０時間かけている。この約１００℃の温度は、竹１２又は木材１２ａの炭化を防止して煤竹又は煤木材を作製するための温度として好適である。また、約１０〜３０時間の保持時間は、竹１２や木材１２ａの組織から染み出した成分に煤を含んだ煙が触れると共に、徐々に竹１２や木材１２ａの表面から組織の成分を染み出させることで、竹１２や木材１２ａの表面を艶のある黒褐色とすることができる。更に、燻し焼成手段では、約１００℃の温度から約２００℃の温度までを約２時間で昇温し、表面の仕上げを行っている。この昇温による仕上げによって、竹１２や木材１２ａの表面の油分、タール分は、飛ばされて美しい艶のある黒褐色に仕上げることができる。
【００１２】
次に、煤竹又は煤木材の製造装置のタール回収手段には、密閉室１７の下部に設ける排出口１６を介して密閉室１７内の収納ボックス１８に収納されている竹１２又は木材１２ａから発生したタールを回収するための回収タンク１９が設けられている。この回収タンク１９は、タールと共に、煙とガス化した竹１２又は木材１２ａから発生した成分の排気ガスを閉じ込めることができるように密閉式となっており、例えば、ＳＵＳ、鉄等の金属板等で適当な大きさの立方体や円柱体等の形状に形成されている。
【００１３】
次に、煤竹又は煤木材の製造装置の竹酢液又は木酢液回収手段には、密閉室１７内から回収タンク１９内に持ち込まれた排気ガスを回収タンク１９の上部から取り出すために排気煙突２０を設けると共に、この排気煙突２０の途中に空冷あるいは水冷できる冷却器を設けて、排気ガスに含まれる竹酢液又は木酢液を取り出している。そして、排気煙突２０の先には、下に向けて上部に連結した竹酢液又は木酢液を垂らし込んで回収するための回収ボックス２１が設けられている。なお、この煤竹又は煤木材の製造装置によって、竹１２又は木材１２ａから抽出された竹酢液又は木酢液は、農業、化学工業、健康分野等の多用途に用いられている。
【００１４】
この煤竹又は煤木材の製造装置は、ブロワー１４の空気供給量の停止によって、木質燃料１１の蒸し焼きを停止して、密閉室１７内を実質的に室温まで冷却することで燻し焼成を完了させることができる。そして、密閉室１７内の収納ボックス１８から美しい艶のある黒褐色を有する防腐性の高い硬化した煤竹又は煤木材を取り出している。
【産業上の利用可能性】
【００１５】
本考案の煤竹又は煤木材の製造装置は、自然的には得られにくくなった煤竹又は煤木材を、自然に作られたものと遜色なく作ることができ、建築材や工芸品あるいは置物等として用いることができる。また、竹又は木材から発生するタール分を回収して地球に優しく、竹酢液又は木酢液を抽出して社会生活に貢献することができる。
【図面の簡単な説明】
【００１６】
【図１】（Ａ）、（Ｂ）はそれぞれ本考案の一実施の形態に係る煤竹の製造装置の斜視図、正面図である。
【符号の説明】
【００１７】
１１：木質燃料、１２：竹、１２ａ：木材、１３：燃焼室、１４：ブロワー、１５：煙突、１６：排出口、１７：密閉室、１８：収納ボックス、１９：回収タンク、２０：排気煙突、２１：回収ボックス
【図１】
0003106161.tif 000003